(57)【特許請求の範囲】
【請求項１】
直流電流の供給を受け付け、互いの出力部を同じ方向に向けた状態で配置され、予め設定された閾値よりも大きい直流電流が供給された場合に当該直流電流の供給を遮断する複数の遮断器と、
前記複数の遮断器の出力部にそれぞれ設けられ、対応した遮断器の出力部から一側に突き出す接続部を有する複数の正側ブスと、
前記複数の遮断器の出力部にそれぞれ設けられ、対応した遮断器の出力部から他側に突き出す接続部を有する複数の負側ブスと、
前記複数の正側ブスの接続部の各々に接続された正側短絡バーと、
前記複数の負側ブスの接続部の各々に接続された負側短絡バーと、
を備えた直流入力盤。
【請求項２】
前記複数の遮断器は、一列に並び、
前記正側短絡バーは、直線状に形成され、
前記負側短絡バーは、直線状に形成された請求項１に記載の直流入力盤。
【請求項３】
前記複数の遮断器と前記複数の正側ブスと前記複数の負側ブスと前記正側短絡バーと前記負側短絡バーとを収納する収納体、
を備え、
前記複数の正側ブスの各々および前記複数の負側ブスの各々の一方の接続部は、前記収納体の前方に突き出し、
前記複数の正側ブスの各々および前記複数の負側ブスの各々の他方の接続部は、前記収納体の後方に突き出す請求項１または請求項２に記載の直流入力盤。
【請求項４】
前記複数の正側ブスの各々および前記複数の負側ブスの各々の一方の接続部は、前記複数の正側ブスの各々および前記複数の負側ブスの各々の他方の接続部よりも対応した遮断器の出力部に近い請求項３に記載の直流入力盤。
【請求項５】
直流電流の供給を受け付け、互いの出力部を同じ方向に向けた状態で配置され、予め設定された閾値よりも大きい直流電流が供給された場合に当該直流電流の供給を遮断する複数の第１遮断器と、
前記複数の第１遮断器の出力部にそれぞれ設けられ、対応した第１遮断器の出力部から一側に突き出す接続部を有する複数の第１正側ブスと、
前記複数の第１遮断器の出力部にそれぞれ設けられ、対応した第１遮断器の出力部から他側に突き出す接続部を有する複数の第１負側ブスと、
前記複数の第１正側ブスの接続部の各々に接続された第１正側短絡バーと、
前記複数の第１負側ブスの接続部の各々に接続された第１負側短絡バーと、
直流電流の供給を受け付け、互いの出力部を前記複数の第１遮断器の出力部に対向する方向に向けた状態で配置され、予め設定された閾値よりも大きい直流電流が供給された場合に当該直流電流の供給を遮断する複数の第２遮断器と、
前記複数の第２遮断器の出力部にそれぞれ設けられ、対応した第２遮断器の出力部から一側に突き出す接続部を有する複数の第２負側ブスと、
前記複数の第２遮断器の出力部にそれぞれ設けられ、対応した第２遮断器の出力部から他側に突き出す接続部を有する複数の第２負側ブスと、
前記複数の第２負側ブスの接続部の各々に接続された第２正側短絡バーと、
前記複数の第２負側ブスの接続部の各々に接続された第２負側短絡バーと、
を備えた直流入力盤。
【発明の詳細な説明】
【技術分野】
【０００１】
この発明は、直流入力盤に関する。
【背景技術】
【０００２】
特許文献１は、直流入力盤を開示する。当該直流入力盤は、複数の遮断器と複数の正側ブスと複数の負側ブスとを備える。
【先行技術文献】
【特許文献】
【０００３】
【特許文献１】日本特開２０１３−０８４７５９号公報
【発明の概要】
【発明が解決しようとする課題】
【０００４】
しかしながら、特許文献１に記載の直流入力盤の内部において、複数の正側ブスのいずれかと複数の負側ブスのいずれかとが近づくこともある。この場合、正側ブスと負側ブスとの絶縁距離が確保されない。【０００５】
この発明は、上述の課題を解決するためになされた。この発明の目的は、正側ブスと負側ブスとの絶縁距離を確保することができる直流入力盤を提供することである。
【課題を解決するための手段】
【０００６】
この発明に係る直流入力盤は、直流電流の供給を受け付け、互いの出力部を同じ方向に向けた状態で配置され、予め設定された閾値よりも大きい直流電流が供給された場合に当該直流電流の供給を遮断する複数の遮断器と、前記複数の遮断器の出力部にそれぞれ設けられ、対応した遮断器の出力部から一側に突き出す接続部を有する複数の正側ブスと、前記複数の遮断器の出力部にそれぞれ設けられ、対応した遮断器の出力部から他側に突き出す接続部を有する複数の負側ブスと、前記複数の正側ブスの接続部の各々に接続された正側短絡バーと、前記複数の負側ブスの接続部の各々に接続された負側短絡バーと、を備えた。【０００７】
この発明に係る直流入力盤は、直流電流の供給を受け付け、互いの出力部を同じ方向に向けた状態で配置され、予め設定された閾値よりも大きい直流電流が供給された場合に当該直流電流の供給を遮断する複数の第１遮断器と、前記複数の第１遮断器の出力部にそれぞれ設けられ、対応した第１遮断器の出力部から一側に突き出す接続部を有する複数の第１正側ブスと、前記複数の第１遮断器の出力部にそれぞれ設けられ、対応した第１遮断器の出力部から他側に突き出す接続部を有する複数の第１負側ブスと、前記複数の第１正側ブスの接続部の各々に接続された第１正側短絡バーと、前記複数の第１負側ブスの接続部の各々に接続された第１負側短絡バーと、直流電流の供給を受け付け、互いの出力部を前記複数の第１遮断器の出力部に対向する方向に向けた状態で配置され、予め設定された閾値よりも大きい直流電流が供給された場合に当該直流電流の供給を遮断する複数の第２遮断器と、前記複数の第２遮断器の出力部にそれぞれ設けられ、対応した第２遮断器の出力部から一側に突き出す接続部を有する複数の第２負側ブスと、前記複数の第２遮断器の出力部にそれぞれ設けられ、対応した第２遮断器の出力部から他側に突き出す接続部を有する複数の第２負側ブスと、前記複数の第２負側ブスの接続部の各々に接続された第２正側短絡バーと、前記複数の第２負側ブスの接続部の各々に接続された第２負側短絡バーと、を備えた。
【発明の効果】
【０００８】
これらの発明によれば、正側ブスの接続部は、遮断器の出力部から一側に突き出す。これに対し、負側ブスの接続部は、遮断器の出力部から他側に突き出す。このため、正側ブスと第１負側ブスとの絶縁距離を確保することができる。
【図面の簡単な説明】
【０００９】
【図１】この発明の実施の形態１における直流入力盤が適用される電源システムの構成図である。
【図２】この発明の実施の形態１における直流入力盤の斜視図である。
【図３】この発明の実施の形態１における直流入力盤の要部の正面図である。
【図４】この発明の実施の形態１における直流入力盤の要部の平面図である。
【図５】この発明の実施の形態１における直流入力盤の要部の縦断面図である。
【図６】この発明の実施の形態１における直流入力盤の要部の縦断面図である。
【発明を実施するための形態】
【００１０】
この発明を実施するための形態について添付の図面に従って説明する。なお、各図中、同一または相当する部分には同一の符号が付される。当該部分の重複説明は適宜に簡略化ないし省略する。
【００１１】
実施の形態１．
図１はこの発明の実施の形態１における直流入力盤が適用される電源システムの構成図である。
【００１２】
図１において、電源システムは、電力系統１と複数の太陽電池モジュール２と電力変換装置３とを備える。
【００１３】
例えば、電力系統１は、電力会社により運用される。太陽電池モジュール２は、屋外に設けられる。電力変換装置３は、電力系統１と太陽電池モジュール２との間に接続される。
【００１４】
電力変換装置３は、筐体４と直流入力盤５と電力変換ユニット６とを備える。
【００１５】
筐体４は、箱状に形成される。直流入力盤５は、筐体４に収納される。直流入力盤５は、複数の太陽電池モジュール２から直流電力の供給を受ける。電力変換ユニット６は、筐体４に収納される。電力変換ユニット６は、直流入力盤５から直流電力の供給を受ける。電力変換ユニット６は、当該直流電力を交流電力に変換する。電力変換ユニット６は、当該交流電力を電力系統１に供給する。
【００１６】
次に、図２を用いて、直流入力盤５を説明する。
図２はこの発明の実施の形態１における直流入力盤の斜視図である。
【００１７】
図２に示されるように、直流入力盤５は、収納体７と複数の第１遮断器８ａと複数の第１正側ブス９ａと複数の第１負側ブス１０ａと第１正側短絡バー１１ａと第１負側短絡バー１２ａと複数の第２遮断器８ｂと複数の第２正側ブス９ｂと複数の第２負側ブス１０ｂと第２正側短絡バー１１ｂと第２負側短絡バー１２ｂとを備える。
【００１８】
例えば、収納体７は、複数の棒体を組み合わせることにより形成される。
【００１９】
複数の第１遮断器８ａは、収納体７の内部の一側に収納される。複数の第１遮断器８ａの各々は、図示されない出力部を有する。複数の第１遮断器８ａは、鉛直方向に一列に並ぶ。複数の第１遮断器８ａは、互いの出力部を同じ方向に向けた状態で配置される。例えば、複数の第１遮断器８ａは、互いの出力部を収納体７の中央方向に向けた状態で配置される。複数の第１遮断器８ａは、直流電流の供給を受け付け得るように設けられる。複数の第１遮断器８ａは、予め設定された閾値よりも大きい直流電流が供給された場合に当該直流電流の供給を遮断するように設けられる。
【００２０】
複数の第１正側ブス９ａは、収納体７の内部の一側に収納される。複数の第１正側ブス９ａは、複数の第１遮断器８ａの出力部にそれぞれ設けられる。複数の第１正側ブス９ａの各々は、対応した第１遮断器８ａの出力部から一側に突き出す接続部を有する。例えば、複数の第１正側ブス９ａの各々は、対応した第１遮断器８ａの出力部から収納体７の後方に突き出す接続部を有する。
【００２１】
複数の第１負側ブス１０ａは、収納体７の内部の一側に収納される。複数の第１負側ブス１０ａは、複数の第１遮断器８ａの出力部にそれぞれ設けられる。複数の第１負側ブス１０ａの各々は、対応した第１遮断器８ａの出力部から他側に突き出す接続部を有する。例えば、複数の第１負側ブス１０ａの各々は、対応した第１遮断器８ａの出力部から収納体７の前方に突き出す接続部を有する。
【００２２】
第１正側短絡バー１１ａは、収納体７の内部の一側に収納される。例えば、第１正側短絡バー１１ａは、直線状に形成される。第１正側短絡バー１１ａは、複数の第１正側ブス９ａの接続部の各々に電気的に接続される。
【００２３】
第１負側短絡バー１２ａは、収納体７の内部の一側に収納される。例えば、第１負側短絡バー１２ａは、直線状に形成される。第１負側短絡バー１２ａは、複数の第１負側ブス１０ａの接続部の各々に電気的に接続される。
【００２４】
複数の第２遮断器８ｂは、収納体７の内部の他側に収納される。複数の第２遮断器８ｂの各々は、図示されない出力部を有する。複数の第２遮断器８ｂは、鉛直方向に一列に並ぶ。複数の第２遮断器８ｂは、互いの出力部を同じ方向に向けた状態で配置される。例えば、複数の第２遮断器８ｂは、互いの出力部を収納体７の中央方向に向けた状態で配置される。この場合、複数の第２遮断器８ｂは、互いの出力部を複数の第１遮断器８ａの出力部に対向する方向に向けた状態で配置される。複数の第２遮断器８ｂは、直流電流の供給を受け付け得るように設けられる。複数の第２遮断器８ｂは、予め設定された閾値よりも大きい直流電流が供給された場合に当該直流電流の供給を遮断するように設けられる。
【００２５】
複数の第２正側ブス９ｂは、収納体７の内部の他側に収納される。複数の第２正側ブス９ｂは、複数の第２遮断器８ｂの出力部にそれぞれ設けられる。複数の第２正側ブス９ｂの各々は、対応した第２遮断器８ｂの出力部から一側に突き出す接続部を有する。例えば、複数の第２正側ブス９ｂの各々は、対応した第２遮断器８ｂの出力部から収納体７の後方に突き出す接続部を有する。
【００２６】
複数の第２負側ブス１０ｂは、収納体７の内部の他側に収納される。複数の第２負側ブス１０ｂは、複数の第２遮断器８ｂの出力部にそれぞれ設けられる。複数の第２負側ブス１０ｂの各々は、対応した第２遮断器８ｂの出力部から他側に突き出す接続部を有する。例えば、複数の第２負側ブス１０ｂの各々は、対応した第２遮断器８ｂの出力部から収納体７の前方に突き出す接続部を有する。
【００２７】
第２正側短絡バー１１ｂは、収納体７の内部の他側に収納される。例えば、第２正側短絡バー１１ｂは、直線状に形成される。第２正側短絡バー１１ｂは、複数の第２正側ブス９ｂの接続部の各々に電気的に接続される。
【００２８】
第２負側短絡バー１２ｂは、収納体７の内部の他側に収納される。例えば、第２負側短絡バー１２ｂは、直線状に形成される。第２負側短絡バー１２ｂは、複数の第２負側ブス１０ｂの接続部の各々に電気的に接続される。
【００２９】
次に、図３から図６を用いて、第１正側短絡バー１１ａと第１負側短絡バー１２ａと第２正側短絡バー１１ｂと第２負側短絡バー１２ｂとを説明する。
図３はこの発明の実施の形態１における直流入力盤の要部の正面図である。図４はこの発明の実施の形態１における直流入力盤の要部の平面図である。図５と図６とはこの発明の実施の形態１における直流入力盤の要部の縦断面図である。
【００３０】
図３と図４に示されるように、第１正側短絡バー１１ａと第１負側短絡バー１２ａと第２正側短絡バー１１ｂと第２負側短絡バー１２ｂとは、長手方向を鉛直方向にして配置される。第１正側短絡バー１１ａと第１負側短絡バー１２ａと第２正側短絡バー１１ｂと第２負側短絡バー１２ｂとは、筐体４の幅方向に隙間をあけて並ぶ。
【００３１】
図３と図４に示されるように、複数の第１負側ブス１０ａの各々の接続部は、複数の第１正側ブス９ａの各々の接続部よりも対応した第１遮断器８ａの出力部に近い。複数の第２負側ブス１０ｂの各々の接続部は、複数の第２正側ブス９ｂの各々の接続部よりも対応した第２遮断器８ｂの出力部に近い。
【００３２】
図５に示されるように、第１正側短絡バー１１ａは、筐体４の後方側に配置される。これに対し、第１負側短絡バー１２ａは、筐体４の前方側に配置される。その結果、第１正側短絡バー１１ａと第１負側短絡バー１２ａとは、筐体４の奥行き方向に隙間をあけて並ぶ。
【００３３】
図６に示されるように、第２正側短絡バー１１ｂは、筐体４の後方側に配置される。これに対し、第２負側短絡バー１２ｂは、筐体４の前方側に配置される。その結果、第２正側短絡バー１１ｂと第２負側短絡バー１２ｂとは、筐体４の奥行き方向に隙間をあけて並ぶ。
【００３４】
以上で説明した実施の形態１によれば、筐体４の一側において、複数の第１正側ブス９ａの各々の接続部は、対応した第１遮断器８ａの出力部から一側に突き出す。これに対し、複数の第１負側ブス１０ａの各々の接続部は、対応した第１遮断器８ａの出力部から他側に突き出す。このため、多くの第１遮断器８ａが収納体７に収納される場合でも、複数の第１正側ブス９ａと複数の第１負側ブス１０ａとの絶縁距離を確保することができる。
【００３５】
また、筐体４の他側において、複数の第２正側ブス９ｂの各々は、対応した第２遮断器８ｂの一側に突き出す。これに対し、複数の第２負側ブス１０ｂの各々は、対応した第２遮断器８ｂの他側に突き出す。このため、多くの第２遮断器８ｂが収納体７に収納される場合でも、複数の第２正側ブス９ｂと複数の第２負側ブス１０ｂとの絶縁距離を確保することができる。
【００３６】
また、第１遮断器８ａは、一列に並ぶ。第１正側短絡バー１１ａは、直線状に形成される。第１負側短絡バー１２ａは、直線状に形成される。このため、第１正側短絡バー１１ａと第１負側短絡バー１２ａとを取り付ける際の作業性を向上することができる。さらに、第１正側ブス９ａと第１負側ブス１０ａとの誤配線を抑制することができる。
【００３７】
また、第２遮断器８ｂは、一列に並ぶ。第２正側短絡バー１１ｂは、直線状に形成される。第２負側短絡バー１２ｂは、直線状に形成される。このため、第２正側短絡バー１１ｂと第２負側短絡バー１２ｂとを取り付ける際の作業性を向上することができる。さらに、第２正側ブス９ｂと第２負側ブス１０ｂとの誤配線を抑制することができる。
【００３８】
また、複数の第１負側ブス１０ａの各々の接続部は、複数の第１正側ブス９ａの各々の接続部よりも対応した第１遮断器８ａの出力部に近い。このため、第１正側短絡バー１１ａと第１負側短絡バー１２ａとを取り付ける際に、収納体７の前方側からの作業性を向上することができる。
【００３９】
また、複数の第２負側ブス１０ｂの各々の接続部は、複数の第２正側ブス９ｂの各々の接続部よりも対応した第２遮断器８ｂの出力部に近い。このため、第２正側短絡バー１１ｂと第２負側短絡バー１２ｂとを取り付ける際に、収納体７の前方側からの作業性を向上することができる。
【００４０】
なお、第１正側ブス９ａと第１負側ブス１０ａとの配置を入れ替えてもよい。この際、第１正側短絡バー１１ａと第１負側短絡バー１２ａとの配置を入れ替えればよい。この場合も、複数の第１正側ブス９ａと複数の第１負側ブス１０ａとの絶縁距離を確保することができる。
【００４１】
また、第２正側ブス９ｂと第２負側ブス１０ｂとの配置を入れ替えてもよい。この際、第２正側短絡バー１１ｂと第２負側短絡バー１２ｂとの配置を入れ替えればよい。この場合も、複数の第１正側ブス９ａと複数の第１負側ブス１０ａとの絶縁距離を確保することができる。
【００４２】
また、第１正側ブス９ａと第１負側ブス１０ａとの配置を入れ替えずに、第２正側ブス９ｂと第２負側ブス１０ｂとの配置を入れ替えてもよい。この際、第２正側短絡バー１１ｂと第２負側短絡バー１２ｂとの配置を入れ替えればよい。この場合、収納体７の一側と他側とにおいて、同じ遮断器と正側ブスと負側ブスと正側短絡バーと負側短絡バーとを利用することができる。
【００４３】
また、第１正側ブス９ａと第１負側ブス１０ａとの配置を入れ替えて、第２正側ブス９ｂと第２負側ブス１０ｂとの配置を入れ替えなくてもよい。この際、第１正側短絡バー１１ａと第１負側短絡バー１２ａとの配置を入れ替えればよい。この場合、収納体７の一側と他側とにおいて、同じ遮断器と正側ブスと負側ブスと正側短絡バーと負側短絡バーとを利用することができる。
【産業上の利用可能性】
【００４４】
以上のように、この発明に係る直流入力盤は、正側ブスと負側ブスとの絶縁距離を確保するシステムに利用できる。
【符号の説明】
【００４５】
１  電力系統、  ２  太陽電池モジュール、  ３  電力変換装置、  ４  筐体、  ５  直流入力盤、  ６  電力変換ユニット、  ７  収納体、  ８ａ  第１遮断器、  ８ｂ  第２遮断器、  ９ａ  第１正側ブス、  ９ｂ  第２正側ブス、  １０ａ  第１負側ブス、  、  １０ｂ  第２負側ブス、  １１ａ  第１正側短絡バー、  １１ｂ  第２正側短絡バー、  １２ａ  第１負側短絡バー、  １２ｂ  第２負側短絡バー
【図１】
0006642733.tif 000002
【図２】
0006642733.tif 000003
【図３】
0006642733.tif 000004
【図４】
0006642733.tif 000005
【図５】
0006642733.tif 000006
【図６】
0006642733.tif 000007